(57)【要約】【課題】  ハンズフリーで外界を見つつ映像を見ることができ、しかも携帯性にも優れたシステム、方法及び装置を提供する。【解決手段】  この表示システムでは、透明板１１４を有するＨＭＤ表示部１０１が外界を観ることが可能なので、ハンズフリーで外界を見つつ映像を他人に観られずに快適に観ることができる。また、受信端末１００に表示部８が設けられているので、受信端末１００単独で映像を見ることができる。従って、携帯性を最優先させたい場合には、ＨＭＤ表示装置２００を所持せず受信端末１００だけを所持すればよい。また、ＨＭＤ表示装置２００は受信端末１００から電源の供給を受けるようしているので、ＨＭＤ表示装置２００自体が電源を持たずにすむ。この点で、ＨＭＤ表示装置２００の重量を軽減することができる。【選択図】  図１
2006005804.tif 000002
【特許請求の範囲】
【請求項１】
映像信号に基づき映像を表示する第１の表示部と、前記映像信号を出力する第１の出力端子と、電力供給用の第２の出力端子とを有する映像信号出力装置と、
前記第１の出力端子に接続される第１の入力端子と、前記第２の出力端子に接続される第２の入力端子と、前記第１の入力端子を介して入力された映像信号に基づき映像を表示するとともに外界を観ることが可能な第２の表示部と、前記第２の入力端子を介して供給される電力を各部に供給する供給部とを有する頭部装着型の表示装置と
を具備することを特徴とするシステム。
【請求項２】
請求項１に記載のシステムであって、
前記映像信号出力装置は、前記第２の出力端子と前記第２の入力端子とが接続されたか否かを判断可能な第１の判断部と、前記第１の判断部により前記第２の出力端子と前記第２の入力端子とが接続されていると判断されたときに、前記表示装置に電力を供給可能とする手段とを具備することを特徴とするシステム。
【請求項３】
請求項２に記載のシステムであって、
前記映像信号出力装置は、前記第１の判断部により前記第２の出力端子と前記第２の入力端子とが接続されていると判断されたときに、前記第１の表示部の表示を停止する手段を具備することを特徴とするシステム。
【請求項４】
請求項１に記載のシステムであって、
前記映像信号出力装置は、映像信号に加え、音声信号及び／又はデータ信号を受信可能な受信部を有し、
前記映像信号出力装置は、前記受信した音声信号及び／又はデータ信号を出力又は前記第1の表示部に表示させる手段と、前記受信した音声信号及び／又はデータ信号を出力する第３の出力端子とを有し、
前記表示装置は、前記第３の出力端子に接続される第３の入力端子と、前記第３の入力端子を介して入力された音声信号及び／又はデータ信号を出力又は前記第２の表示部に表示させる手段とを有する
ことを特徴とするシステム。
【請求項５】
請求項１に記載のシステムであって、
前記表示装置は、外界像を透過させることで、前記第２の表示部で表示された映像を前記外界像に重ねるコンバイナを有することを特徴とするシステム。
【請求項６】
請求項５に記載のシステムであって、
前記表示装置の前記第２の表示部は、外界光の透過率を制御するための制御手段を有することを特徴とするシステム。
【請求項７】
請求項１に記載のシステムであって、
前記映像信号出力装置の受信部は、前記音声専用チャンネルを受信することが可能であり、
前記映像信号出力装置は、前記音声専用チャンネルが選択されたときに、前記第１の表示部及び／又は第２の表示部の表示を停止する手段を有する
ことを特徴とするシステム。
【請求項８】
請求項４に記載のシステムであって、
前記映像信号出力装置は、映像信号及び／又はデータ信号を記憶可能な記憶部と、前記音声専用チャンネルが選択されたときに、予め前記記憶部に記憶された映像信号及び／又はデータ信号に基づき前記第１の表示部及び／又は第２の表示部に映像及び／又はデータを表示可能とする手段とを有することを特徴とするシステム。
【請求項９】
請求項４に記載のシステムであって、
前記映像信号出力装置の受信部は、前記音声専用チャンネルを受信することが可能であり、
前記映像信号出力装置は、前記音声専用チャンネルが選択されたときに、前記受信したデータ信号に基づき前記第１の表示部又は前記第２の表示部にデータを表示させる手段を具備することを特徴とするシステム。
【請求項１０】
請求項８に記載のシステムであって、
前記記憶部は、前記受信した映像信号及び／又はデータ信号により更新されることを特徴とするシステム。
を具備することを特徴とするシステム。
【請求項１１】
請求項４に記載のシステムであって、
前記映像信号出力装置は、前記音声専用チャンネルが選択されたときに、予め設定されたチャンネルの映像信号／又はデータ信号に基づき前記第１の表示部及び／又は第２の表示部に映像／又はデータを表示可能とする手段とを有することを特徴とするシステム。
【請求項１２】
請求項７に記載のシステムであって、
前記映像信号出力装置は、前記音声専用チャンネルが選択された場合であって、緊急放送チャンネルから緊急放送がされたことが検出されたときに、緊急放送チャンネルの映像／又はデータを前記第１の表示部及び／又は第２の表示部に表示可能とする手段とを有することを特徴とするシステム。
【請求項１３】
請求項１に記載のシステムであって、
前記表示装置は、視野内に設けられ前記第２の表示部により表示される映像を拡大する光学系を有することを特徴とするシステム。
【請求項１４】
映像信号に基づき映像を表示する第１の表示部と、前記映像信号を出力する第１の出力端子と、電力供給用の第２の出力端子とを有する映像信号出力装置と、前記第１の出力端子に接続される第１の入力端子と、前記第２の出力端子に接続される第２の入力端子と、前記第１の入力端子を介して入力された映像信号に基づき映像を表示するとともに外界を観ることが可能な第２の表示部と、前記第２の入力端子を介して供給される電力を各部に供給する供給部とを有する頭部装着型の表示装置とを具備するシステムにおける方法であって、
前記第１の出力端子に前記第１の入力端子が接続されたとき、前記受信した映像信号を前記第１の出力端子から前記第1の入力端子に出力するとともに、前記第２の出力端子から前記第２の入力端子を介して前記表示装置に電力の供給を可能にし、
前記表示装置は、前記供給された電力を使い、前記第1の入力端子から入力された映像信号に基づき第２の表示部で映像を表示する
ことを特徴とする方法。
【請求項１５】
請求項１４に記載の方法であって、
前記第２の出力端子が前記第２の入力端子に接続されたか否かを判断し、前記第２の出力端子が前記第２の入力端子に接続されているときに、前記映像信号出力装置の電源部が前記表示装置に電力を供給する
ことを特徴とする方法。
【請求項１６】
請求項１５に記載の方法であって、
前記第２の出力端子が前記第２の入力端子に接続されているときに、前記第１の表示部の表示を停止することを特徴とする方法。
【請求項１７】
請求項１４に記載の方法であって、
前記映像信号出力装置は、映像信号に加え、音声信号及び／又はデータ信号を受信可能な受信部を有し、
前記映像信号出力装置は、前記受信した音声信号及び／又はデータ信号を出力又は前記第1の表示部に表示させ、前記受信した音声信号及び／又はデータ信号を第３の出力端子から出力し、
前記表示装置は、前記第３の出力端子に接続される第３の入力端子を介して音声信号及び／又はデータ信号を入力し、これを出力又は前記第２の表示部に表示させる
ことを特徴とする方法。
【請求項１８】
請求項１４に記載の方法であって、
前記映像信号出力装置は、前記音声専用チャンネルを受信可能であり、
前記映像信号出力装置は、前記音声専用チャンネルが選択されたとき、前記第１の表示部又は前記第２の表示部の表示を停止することを特徴とする方法。
【請求項１９】
請求項１８に記載の方法であって、
前記映像信号出力装置は、映像信号及び／又はデータ信号を記憶可能な記憶部を有し、
前記映像信号出力装置は、前記音声専用チャンネルが選択されたときに、予め前記記憶部に記憶された映像信号及び／又はデータ信号に基づき前記第１の表示部及び／又は第２の表示部に映像を表示可能とすることを特徴とする方法。
【請求項２０】
請求項１７に記載の方法であって、
前記映像信号出力装置の受信部は、前記音声専用チャンネルを受信することが可能であり、
前記映像信号出力装置は、前記音声専用チャンネルが選択されたときに、前記受信したデータ信号に基づき前記第１の表示部又は前記第２の表示部にデータを表示させることを特徴とする方法。
【請求項２１】
請求項１７に記載の方法であって、
前記記憶部は、前記受信した映像信号及び／又はデータ信号により更新されることを特徴とする方法。
【請求項２２】
請求項２０に記載の方法であって、
前記映像信号出力装置は、前記音声専用チャンネルが選択されたときに、予め設定されたチャンネルの映像信号及び／又はデータ信号に基づき前記第１の表示部及び／又は第２の表示部に映像及び／又はデータを表示可能とすることを特徴とする方法。
【請求項２３】
請求項１８に記載の方法であって、
前記映像信号出力装置は、前記音声専用チャンネルが選択された場合であって、緊急放送チャンネルから緊急放送がされたことが検出されたときに、緊急放送チャンネルの映像／又はデータを前記第１の表示部及び／又は第２の表示部に表示可能とすることを特徴とする方法。
【請求項２４】
映像信号に基づき映像を表示する第１の表示部と、前記映像信号を出力する第１の出力端子と、電力供給用の第２の出力端子とを有する映像信号出力装置が出力する映像信号を再生する頭部装着型の装置であって、
前記第１の出力端子に接続される第１の入力端子と、
前記第２の出力端子に接続される第２の入力端子と、
前記第１の入力端子を介して入力された映像信号に基づき映像を表示するとともに外界を観ることが可能な第２の表示部と、
前記第２の入力端子を介して供給される電力を各部に供給する供給部と
を具備することを特徴とする装置。
【発明の詳細な説明】
【技術分野】
【０００１】
本発明は、頭部装着型の装置及び該装置を用いたシステム、方法に関する。
【背景技術】
【０００２】
従来、外出先等でテレビ放送等を楽しむための技術として、携帯型のテレビ等が普及している。しかし、テレビの画面が小さいので、映像の細部が見難く迫力に欠ける上に、常に手に持つ等して観る必要がある。このため、例えば外出先等でハンズフリーで長時間テレビ放送を楽しむことは困難である。
【０００３】
このような問題を解決する技術として、例えば頭部装着型のヘッドマウントディスプレイ（ＨＭＤ：Head Mounted Display）を用いる技術が開示されている。例えば、特許文献１には、液晶ディスプレイを備えた眼鏡型の表示装置と、アンテナ及び映像・音声再生チューナーを備えたサブ装置とがアンテナ兼用コードで接続された眼鏡型携帯テレビジョンが開示されている。この頭部に装着される表示装置には、液晶ディスプレイ、レンズ及び電源等が設けられている。しかし、この技術では、表示装置がテレビ専用であるため、番組を視聴しているときには外界を観ることができない。また、表示装置は電源等も含めると相当な重量になる、という問題もある。
【０００４】
これに対して、例えば、特許文献２には、眼鏡型のレンズにホログラム光学素子等を用いることで、番組を視聴しているときでも外界を観ることが可能な頭部装着型の映像表示装置が開示されている。
【０００５】
このため、例えば、上記特許文献１に記載されたサブ装置と上記特許文献２に記載された頭部装着型の映像表示装置とを組み合わせることで、番組を視聴しているときでも外界を見ながら番組を視聴することが可能なシステムを構成することができる。
【特許文献１】特開平５−３４４４４９号公報（段落[０００９]、[００１１]、図２）
【特許文献２】特開２００２−９０６８７号公報（段落[００１９]、図１）
【発明の開示】
【発明が解決しようとする課題】
【０００６】
しかしながら、上記のように特許文献１と特許文献２とを組み合わせたシステムでは、番組を視聴するときには、常に、サブ装置と頭部装着型の映像表示装置とを必要とすることから、携帯性という点で難点がある。しかも、特許文献１に記載のサブ装置では、表示装置側に電源を持たせることを前提としているので、映像表示装置の重量が携帯性を阻害する要因として非常に大きいものとなる。
【０００７】
以上のような事情に鑑み、本発明の目的は、ハンズフリーで外界を見つつ映像を見ることができ、しかも携帯性にも優れたシステム、方法及び装置を提供することにある。
【課題を解決するための手段】
【０００８】
上記目的を達成するため、本発明に係るシステムは、（ａ）映像信号に基づき映像を表示する第１の表示部と、前記映像信号を出力する第１の出力端子と、電力供給用の第２の出力端子とを有する映像信号出力装置と、（ｂ）前記第１の出力端子に接続される第１の入力端子と、前記第２の出力端子に接続される第２の入力端子と、前記第１の入力端子を介して入力された映像信号に基づき映像を表示するとともに外界を観ることが可能な第２の表示部と、前記第２の入力端子を介して供給される電力を各部に供給する供給部とを有する頭部装着型の表示装置とを具備することを特徴とする。
【０００９】
ここで、第１の出力端子と第２の出力端子とは、一体であってもいいし、別であっても勿論構わない。第１の入力端子と第２の入力端子についても同様である。
【００１０】
本発明のシステムでは、第２の表示部が外界を観ることが可能なので、ハンズフリーで外界を見つつ映像を快適に観ることができる。また、本システムでは、映像信号出力装置に第１の表示部が設けられているので、映像信号出力装置単独で映像を見ることができる。従って、携帯性を最優先させたい場合には、頭部装着型の表示装置を所持せず映像信号出力装置だけを所持すればよい。また、頭部装着型の表示装置は映像信号出力装置から電源の供給を受けるようしているので、頭部装着型の表示装置自体が電源を持たずにすむ。この点で、頭部装着型の表示装置の重量を軽減することができる。特に、この種の機器においては装置重量に対して電源の重量が占める割合が非常に大きいことから、頭部装着型の表示装置の重量の軽減の比重は大きい。よって、本システムでは、映像信号出力装置と表示装置の両方を所持した場合であっても、携帯性に優れたものといえる。そして、本発明は、ユーザがこのような携帯性の優先度を自由に選択できる点で実用性の高いシステムを構成できる。
【００１１】
本発明の一の形態によれば、前記映像信号出力装置は、前記第２の出力端子と前記第２の入力端子とが接続されたか否かを判断可能な第１の判断部と、前記第１の判断部により前記第２の出力端子と前記第２の入力端子とが接続されていると判断されたときに、前記表示装置に電力を供給可能とする手段とを具備することを特徴とする。これにより、第２の出力端子と第２の入力端子とが接続されたときに、映像信号出力装置から表示装置に電力を供給されるので、電源供給のためのユーザの操作が不要となり、操作性を優れたシステムを構成できる。
【００１２】
本発明の一の形態によれば、前記映像信号出力装置は、前記第１の判断部により前記第２の出力端子と前記第２の入力端子とが接続されていると判断されたときに、前記第１の表示部の表示を停止する手段を具備することを特徴とする。これにより、例えば表示装置の第２の表示部で映像を観るときに、映像信号出力装置の第１の表示部で消費される電力をなくすことができる。従って、システム全体の省電力化を図ることができる。
【００１３】
本発明の一の形態によれば、前記映像信号出力装置は、映像信号に加え、音声信号及び／又はデータ信号を受信可能な受信部を有し、前記映像信号出力装置は、前記受信した音声信号及び／又はデータ信号を出力又は前記第1の表示部に表示させる手段と、前記受信した音声信号及び／又はデータ信号を出力する第３の出力端子とを有し、前記表示装置は、前記第３の出力端子に接続される第３の入力端子と、前記第３の入力端子を介して入力された音声信号及び／又はデータ信号を出力又は前記第２の表示部に表示させる手段とを有することを特徴とする。これにより、映像に加えて音声を聞いたり、データを映像信号出力装置の第１の表示部又は表示装置の第２の表示部で観たりすることができる。
【００１４】
本発明の一の形態によれば、前記表示装置は、外界像を透過させることで、前記第２の表示部で表示された映像を前記外界像に重ねるコンバイナを有することを特徴とする。これにより、映像と外界像とを重ねて観ることができる。なお、コンバイナとしては、例えばホログラム光学素子やハーフミラー等を用いることができる。ホログラム光学素子は、透明であり、特定の波長の入射光を反射させることができる。
【００１５】
本発明の一の形態によれば、前記表示装置の前記第２の表示部は、外界光の透過率を制御するための制御手段を有することを特徴とする。これにより、屋外で映像を観るとき等に外界光の透過率を制御することで、外界の明るさに依らずに高コントラストの映像を観ることができる。
【００１６】
本発明の一の形態によれば、前記映像信号出力装置の受信部は、前記音声専用チャンネルを受信することが可能であり、前記映像信号出力装置は、前記音声専用チャンネルが選択されたときに、前記第１の表示部及び／又は第２の表示部の表示を停止する手段を有することを特徴とする。これにより、音声専用チャンネルが選択されたときに、第１の表示部及び／又は第２の表示部への電力の供給をなくす又は極力減らすことができるので、更に省電力化を図ることができる。表示部の表示を停止としては、例えば表示部に対する電力の供給を停止する他、例えば表示部が液晶装置により構成されている場合にはそのバックライトへの電力の供給を停止するなど、様々な形態が考えられる。
【００１７】
本発明の一の形態によれば、前記映像信号出力装置は、映像信号及び／又はデータ信号を記憶可能な記憶部と、前記音声専用チャンネルが選択されたときに、予め前記記憶部に記憶された映像信号及び／又はデータ信号に基づき前記第１の表示部及び／又は第２の表示部に映像及び／又はデータを表示可能とする手段とを有することを特徴とする。これにより、音声を聞くときに予め設定しておいた観たい映像を観ることができる。
【００１８】
本発明の一の形態によれば、前記映像信号出力装置の受信部は、前記音声専用チャンネルを受信することが可能であり、前記映像信号出力装置は、前記音声専用チャンネルが選択されたときに、前記受信したデータ信号に基づき前記第１の表示部又は前記第２の表示部にデータを表示させる手段を具備することを特徴とする。これにより、映像信号出力装置で受信した様々なデータを音声と共に視聴することができる。
【００１９】
本発明の一の形態によれば、前記記憶部は、前記受信した映像信号及び／又はデータ信号により更新されることを特徴とする。これにより、常に最新のデータを観ることができる。従って、例えば音声専用チャンネルが選択されたときに合わせて常に最新のデータを観ることができる。
【００２０】
本発明の一の形態によれば、前記映像信号出力装置は、前記音声専用チャンネルが選択されたときに、予め設定されたチャンネルの映像信号／又はデータ信号に基づき前記第１の表示部及び／又は第２の表示部に映像／又はデータを表示可能とする手段とを有することを特徴とする。この設定は、例えばデータ信号を受信する前に予め映像信号出力装置を用いて行うことができる。これにより、例えば音声を聞くときに予め設定しておいた希望するチャンネルのデータを受信して観ることができる。
【００２１】
本発明の一の形態によれば、前記映像信号出力装置は、前記音声専用チャンネルが選択された場合であって、緊急放送チャンネルから緊急放送がされたことが検出されたときに、緊急放送チャンネルの映像／又はデータを前記第１の表示部及び／又は第２の表示部に表示可能とする手段とを有することを特徴とする。これにより、視聴者は積極的に意識することなく緊急データを視聴することができる。
【００２２】
本発明の一の形態によれば、前記表示装置は、視野内に設けられ前記第２の表示部により表示される映像を拡大する光学系を有することを特徴とする。これにより、表示装置をコンパクトにすることができる。
【００２３】
本発明に係る方法は、映像信号に基づき映像を表示する第１の表示部と、前記映像信号を出力する第１の出力端子と、電力供給用の第２の出力端子とを有する映像信号出力装置と、前記第１の出力端子に接続される第１の入力端子と、前記第２の出力端子に接続される第２の入力端子と、前記第１の入力端子を介して入力された映像信号に基づき映像を表示するとともに外界を観ることが可能な第２の表示部と、前記第２の入力端子を介して供給される電力を各部に供給する供給部とを有する頭部装着型の表示装置とを具備するシステムにおける方法であって、前記第１の出力端子に前記第１の入力端子が接続されたとき、前記受信した映像信号を前記第１の出力端子から前記第1の入力端子に出力するとともに、前記第２の出力端子から前記第２の入力端子を介して前記表示装置に電力の供給を可能にし、前記表示装置は、前記供給された電力を使い、前記第1の入力端子から入力された映像信号に基づき第２の表示部で映像を表示することを特徴とする。
【００２４】
本発明の方法では、第２の表示部が外界を見ることができるので、ハンズフリーで外界を見つつ映像を快適に観ることができる。また、第１の出力端子に第１の入力端子を接続したとき、第２の出力端子から第２の入力端子を介して表示装置に電力を供給できるので、頭部装着型の表示装置自体が電源を持たずにすむ。この点で、頭部装着型の表示装置の重量を軽減することができる。よって、本方法では、映像信号出力装置と表示装置の両方を所持しても、携帯性に優れたものといえる。
【００２５】
本発明の一の形態によれば、前記第２の出力端子が前記第２の入力端子に接続されたか否かを判断し、前記第２の出力端子が前記第２の入力端子に接続されているときに、前記映像信号出力装置の電源部が前記表示装置に電力を供給することを特徴とする。これにより、第２の出力端子と第２の入力端子とが接続されたときに、映像信号出力装置から表示装置に電力を供給されるので、電源供給のためのユーザの操作が不要となり、操作性を向上させることができる。
【００２６】
本発明の一の形態によれば、前記第２の出力端子が前記第２の入力端子に接続されているときに、前記第１の表示部の表示を停止することを特徴とする。これにより、例えば表示装置の第２の表示部で映像を観るときに、映像信号出力装置の第１の表示部で消費される電力をなくすことができる。従って、システム全体の省電力化を図ることができる。
【００２７】
本発明の一の形態によれば、前記映像信号出力装置は、映像信号に加え、音声信号及び／又はデータ信号を受信可能な受信部を有し、前記映像信号出力装置は、前記受信した音声信号及び／又はデータ信号を出力又は前記第1の表示部に表示させ、前記受信した音声信号及び／又はデータ信号を第３の出力端子から出力し、前記表示装置は、前記第３の出力端子に接続される第３の入力端子を介して音声信号及び／又はデータ信号を入力し、これを出力又は前記第２の表示部に表示させることを特徴とする。これにより、映像に加えて音声を聞いたり、データを映像信号出力装置の第１の表示部又は表示装置の第２の表示部で観たりすることができる。
【００２８】
本発明の一の形態によれば、前記映像信号出力装置は、前記音声専用チャンネルを受信可能であり、前記映像信号出力装置は、前記音声専用チャンネルが選択されたとき、前記第１の表示部又は前記第２の表示部の表示を停止することを特徴とする。これにより、音声専用チャンネルが選択されたときに、第１の表示部及び／又は第２の表示部への電力の供給をなくすことができるので、更に省電力化を図ることができる。
【００２９】
本発明の一の形態によれば、前記映像信号出力装置は、映像信号及び／又はデータ信号を記憶可能な記憶部を有し、前記映像信号出力装置は、前記音声専用チャンネルが選択されたときに、予め前記記憶部に記憶された映像信号及び／又はデータ信号に基づき前記第１の表示部及び／又は第２の表示部に映像を表示可能とすることを特徴とする。これにより、音声を聞くときに予め設定しておいた観たい映像を観ることができる。
【００３０】
本発明の一の形態によれば、前記映像信号出力装置の受信部は、前記音声専用チャンネルを受信することが可能であり、前記映像信号出力装置は、前記音声専用チャンネルが選択されたときに、前記受信したデータ信号に基づき前記第１の表示部又は前記第２の表示部にデータを表示させることを特徴とする。これにより、映像信号出力装置で受信した様々なデータを音声と共に視聴することができる。
【００３１】
本発明の一の形態によれば、前記記憶部は、前記受信した映像信号及び／又はデータ信号により更新されることを特徴とする。これにより、常に最新のデータを観ることができる。従って、例えば音声専用チャンネルが選択されたときに合わせて常に最新のデータを観ることができる。
【００３２】
本発明の一の形態によれば、前記映像信号出力装置は、前記音声専用チャンネルが選択されたときに、予め設定されたチャンネルの映像信号及び／又はデータ信号に基づき前記第１の表示部及び／又は第２の表示部に映像及び／又はデータを表示可能とする。この設定は、例えばデータ信号を受信する前に予め映像信号出力装置を用いて行われることを特徴とする。これにより、例えば音声を聞くときに予め設定しておいた希望するチャンネルのデータを受信して観ることができる。
【００３３】
本発明の一の形態によれば、前記映像信号出力装置は、前記音声専用チャンネルが選択された場合であって、緊急放送チャンネルから緊急放送がされたことが検出されたときに、緊急放送チャンネルの映像／又はデータを前記第１の表示部及び／又は第２の表示部に表示可能とすることを特徴とする。これにより、視聴者は積極的に意識することなく緊急データを視聴することができる。
【００３４】
本発明の装置では、映像信号に基づき映像を表示する第１の表示部と、前記映像信号を出力する第１の出力端子と、電力供給用の第２の出力端子とを有する映像信号出力装置が出力する映像信号を再生する頭部装着型の装置であって、前記第１の出力端子に接続される第１の入力端子と、前記第２の出力端子に接続される第２の入力端子と、前記第１の入力端子を介して入力された映像信号に基づき映像を表示するとともに外界を観ることが可能な第２の表示部と、前記第２の入力端子を介して供給される電力を各部に供給する供給部とを具備することを特徴とする。
【００３５】
本発明の装置では、第２の表示部が外界を観ることが可能なので、ハンズフリーで外界を見つつ映像を快適に観ることができる。また、頭部装着型の表示装置は映像信号出力装置から電源の供給を受けるようしているので、頭部装着型の表示装置自体が電源を持たずにすむ。この点で、頭部装着型の表示装置の重量を軽減することができる。特に、この種の機器においては装置重量に対して電源の重量が占める割合が非常に大きいことから、頭部装着型の表示装置の重量の軽減の比重は大きい。よって、本装置では、映像信号出力装置と表示装置の両方を所持した場合であっても、携帯性に優れたものといえる。
【発明の効果】
【００３６】
以上のように、本発明によれば、ハンズフリーで外界を見つつ映像を見ることができ、しかも携帯性にも優れたシステム、方法及び装置を提供できる。
【発明を実施するための最良の形態】
【００３７】
以下、本発明に係る実施の形態を図面を参照して説明する。
【００３８】
図１は本発明の第１の実施の形態に係る表示システムを示す概略構成図、図２は第１の実施の形態に係る表示システムのブロック図である。
【００３９】
図１に示すように、本実施形態の表示システムは、映像信号出力装置としての衛星放送を受信可能な受信端末１００と、頭部装着型のＨＭＤ表示装置２００とを備えている。
【００４０】
図１及び図２に示すように、受信端末１００は、電波を受信するための図示を省略したアンテナ、受信部１、音声再生処理部２、映像再生処理部３、電源部４、補助記憶部５、マイクロプロセッサ６、操作入力部７、表示部８、電源出力端子９、音声映像出力端子１０及び図示を省略したスピーカを備えている。
【００４１】
受信部１は、アンテナで受信した信号を復調したりするために用いられている。音声再生処理部２、映像再生処理部３は、それぞれ受信部１で復調した音声、映像信号をデコードしたりするために用いられている。音声再生処理部２及び映像再生処理部３は、音声映像信号を出力するための音声映像出力端子１０に接続されている。すなわち、音声再生処理部２は音声出力端子１１に接続され、映像再生処理部３は映像出力端子１２に接続されている。補助記憶部５は、映像、データを記憶しておくために用いられている。操作入力部７は、衛星放送のチャンネルＣＨを選択したり音声ボリュームを調節したりするために用いられている。表示部８は、映像再生処理部３で処理された映像を表示するために用いられている。電源部４は電力を供給するために各部に接続されていると共に、電力を出力するための電源出力端子９に接続されている。マイクロプロセッサ６は、全体の制御をするために用いられている。
【００４２】
ＨＭＤ表示装置２００は、ＨＭＤ表示部１０１と、ＨＭＤ表示部１０１に接続された接続ケーブル１０２とを備えている。ＨＭＤ表示部１０１と接続ケーブル１０２とは着脱自在に構成されている。ＨＭＤ表示部１０１は、眼鏡型の形状を有しており、光学ユニット１０３、イヤホン１０４等を備えており、受信端末１００から送信された映像信号を表示するために用いられている。光学ユニット１０３には接続ケーブル１０２の一端部が接続されている。接続ケーブル１０２の他端部には、電源入力端子１０５と、音声映像入力端子１０６が設けられている。電源入力端子１０５は受信端末１００の電源出力端子９に接続可能とされており、音声映像入力端子１０６は音声映像出力端子１０に接続可能とされている。すなわち、音声出力端子１１は音声入力端子１１５に接続され、映像出力端子１２は映像入力端子１１６に接続される。接続ケーブル１０２の中途部には、受信端末１００からの音声映像信号を処理する制御部１０７が設けられている。
【００４３】
音声出力端子１１は音声映像入力端子１０６を介してＨＭＤ表示部１０１のイヤホン１０４に接続されている。また、映像出力端子１２はＨＭＤ表示制御部１０９を介して光学ユニット１０３に接続されている。
【００４４】
図３は第１の実施の形態に係る表示システムの光学ユニットを示す側面図である。
【００４５】
ＨＭＤ表示装置２００の光学ユニット１０３は、透過型の液晶表示器（Liquid Crystal Display）１１０、レンズ１１１及び発光ダイオード（ＬＥＤ）１１２が図示を省略した筐体に収容されている。レンズ１１１は、ＬＥＤ１１２から発光された光をＬＣＤ１１０の全面に均一に導くために用いられている。透明板１１４の上端部は、上端に近づくほど前面側に膨らむくさび状とされており、このくさび状の部位を前後から挟むようにして筺体が固定されている。ＬＣＤ１１０、レンズ１１１、ＬＥＤ１１２は、ＬＣＤ１１０によって変調された光が、透明板１１４の上端面から入射し後面に達した光が全反射されるように設けられている。後面で反射された光は前面でも全反射され、透明板１１４内で数回の全反射を繰り返してコンバイナ１１３に入射するように設定されている。
【００４６】
コンバイナ１１３は、反射する光に対してのみ作用する反射型のホログラム素子であり、透過する光にはほとんど影響を及ぼさない。コンバイナ１１３は、ＬＣＤ１１０からの光を反射して右眼Ｅに導くとともに、ＬＣＤ１１０からの光が表す映像を拡大するように設定されている。右眼Ｅには透明板１１４とコンバイナ１１３を透過する外界からの光も導かれる。右眼には、外界の像とその中央部に重なるＬＣＤ１１０の映像の拡大像が提供されることになる。なお、使用者の左眼には外界の像のみが提供される。
【００４７】
ホログラム素子は、波長選択性が高いため、光をほとんど失うことなく反射したり透過させたりする設定とすることが可能である。また、平面状であっても、反射光または透過光を所望の倍率で拡大させる設定とすることが容易である。なお、拡大光学系と組み合わせることにより、コンバイナ１１３としてハーフミラーを用いることも可能である。
【００４８】
次に本実施形態の表示システムの動作について図面を参照しながら説明する。
【００４９】
受信端末１００は、受信部１で音声映像信号を復調し、復調された信号を音声再生処理部２、映像再生処理部３に送信し、音声再生処理部２、映像再生処理部３でこの復調した信号をデコードし補助記憶部５に記憶する。
【００５０】
受信端末１００のマイクロプロセッサ６は、図４のフローチャートに示すように、ステップ１で受信端末１００がＨＭＤ表示装置２００に接続されているか否かを例えば図示を省略したメカ的なスイッチからの信号により判断する。このスイッチは、例えば電源出力端子９に電源入力端子１０５が挿入されたときに、接続されていることを示す信号を生成するように設定されている。
【００５１】
ステップ１で接続されていると判断されたときには、ステップ２で受信端末１００の表示部８の表示を停止し、ステップ３で受信端末１００のスピーカの出力を停止する。これにより、ＨＭＤ表示装置２００が受信端末１００に接続されているときに、受信端末１００の表示部８及びスピーカに供給する電力を減少させて節電することができる。なお、表示部８の表示を停止としては、例えば表示部８に対する電力の供給を停止する他、本実施形態のように表示部８が液晶装置により構成されている場合にはそのバックライトへの電力の供給を停止するなど、様々な形態が考えられる。
【００５２】
ステップ１で接続されていないと判断されたときには、ステップ４で受信端末１００の表示部８の表示を開始し、ステップ５で受信端末１００のスピーカの出力を開始する。このように、受信端末１００とＨＭＤ表示装置２００との接続状態により受信端末１００の表示部８及びスピーカの表示及び出力が制御される。
【００５３】
また、図５に示すように、操作入力部７でチャンネルＣＨが変更されたときには、図５に示すフローチャートが実行される。ステップ６で、マイクロプロセッサ６は、例えば音声専用チャンネルＣＨが選択されたことを示すチャンネル信号に基き、音声専用チャンネルＣＨが選択されたか否かを判断する。
【００５４】
ステップ６でマイクロプロセッサ６は音声専用チャンネルＣＨを選択したと判断したときは、ステップ７で受信端末１００及び／又はＨＭＤ表示装置２００で音声再生処理の命令をし、ステップ８で表示部８及び／又はＨＭＤ表示部１０１の表示を停止する。これにより、省電力化を図ることができる。なお、ステップ７では、例えば音声チャンネルの選択を支援するために、音声チャンネルに関するデータを一定時間表示する。
【００５５】
ステップ６で音声専用チャンネルＣＨを選択していないと判断したときには、ステップ９において、例えば受信端末１００の音声再生処理部２及び映像再生処理部３で処理を実行し、音声映像を再生する。
【００５６】
図６は予約画像表示プログラムを示すフローチャートである。なお、このフローチャートは、例えば、図５に示すフローチャートのステップ８の代わりに実行される。
【００５７】
マイクロプロセッサ６は、ステップ１２で、補助記憶部５に予め予約された映像があるか否かを判断する。
【００５８】
ステップ１２で予め予約された映像があると判断したときには、ステップ１３で表示部８及び／又はＨＭＤ表示部１０１の表示を開始する。この予め予約された映像の表示は、例えば１つの映像を繰り返し表示してもよいし、複数の異なる映像を順に表示してもよい。
【００５９】
ステップ１２で予め予約された映像がないと判断したときには、表示部８及び／又はＨＭＤ表示部１０１の表示をしない。
【００６０】
図７は設定チャンネル表示プログラムを示すフローチャートである。なお、このフローチャートは、図５に示すフローチャートのステップ８の代わりに実行される。
【００６１】
マイクロプロセッサ６は、ステップ１５で、予め設定されているチャンネルＣＨがあるか否かを例えば設定チャンネル信号等を読み出して判断する。
【００６２】
ステップ１５で、マイクロプロセッサ６は、予め設定されているチャンネルＣＨがあると判断したときには、ステップ１６で例えば表示部８及び／又はＨＭＤ表示部１０１に設定チャンネルＣＨのデータを表示する。なお、データの代わりに映像を表示したりこれらを同時に表示したりしてもよい。
【００６３】
ステップ１５で予め設定されているチャンネルＣＨがないと判断したときには音声のみを再生する。
【００６４】
図８は第１の実施の形態の緊急放送表示プログラムを示すフローチャートである。なお、このフローチャートは、例えば、図５に示すフローチャートのステップ８の後に実行される。
【００６５】
ステップ２１では、マイクロプロセッサ６は、受信部１で受信し音声再生処理部２及び映像再生処理部３で処理された音声信号、映像信号及びデータ信号を補助記憶部５に記憶し更新する。
【００６６】
ステップ２２では、マイクロプロセッサ６は、ステップ２１で受信した緊急放送フラグが１か否かを判断することで緊急放送か否かを判断する。
【００６７】
ステップ２２で緊急放送と判断したときには、ステップ２３で表示部８及び／又はＨＭＤ表示部１０１に緊急放送のデータを表示する。ステップ２２で緊急放送でないと判断したときには、緊急放送を放送しない。
【００６８】
以上のように、本実施形態の表示システムでは、透明板１１４を有するＨＭＤ表示部１０１が外界を観ることが可能なので、ハンズフリーで外界を見つつ映像を他人に観られずに快適に観ることができる。また、本実施形態では、受信端末１００に表示部８が設けられているので、受信端末１００単独で映像を見ることができる。従って、携帯性を最優先させたい場合には、ＨＭＤ表示装置２００を所持せず受信端末１００だけを所持すればよい。また、ＨＭＤ表示装置２００は受信端末１００から電源の供給を受けるようしているので、ＨＭＤ表示装置２００自体が電源を持たずにすむ。この点で、ＨＭＤ表示装置２００の重量を軽減することができる。特に、この種の機器においては装置重量に対して電源の重量が占める割合が非常に大きいことから、ＨＭＤ表示装置２００の重量の軽減の比重は大きい。よって、本システムでは、受信端末１００とＨＭＤ表示装置２００の両方を所持した場合であっても、携帯性に優れたものといえる。そして、本発明は、ユーザがこのような携帯性の優先度を自由に選択できる点で実用性の高いシステムを構成できる。
【００６９】
本実施形態に係るシステムでは、かかる作用効果に加えて以下の作用効果も奏する。
（１）受信端末１００は、電源出力端子９と電源入力端子１０５とが接続されたときに、ＨＭＤ表示装置２００に電力が供給される（ステップ４、５）。従って、電源供給のためのユーザの操作が不要となり、操作性を優れたシステムを構成できる。また、ＨＭＤ表示装置２００に電源部を設ける必要がないので、ＨＭＤ表示装置２００を軽量化することができる。
（２）受信端末１００は、電源出力端子９と電源入力端子１０５とが接続されたときに表示部８の表示を停止するように設定されている（ステップ２、３）。このため、ＨＭＤ表示装置２００の光学ユニット１０３により映像を観るときに、受信端末１００の表示部８で消費される電力をなくすことができる。従って、表示システム全体の省電力化を図ることができる。
（３）受信端末１００は、音声信号及び／又は衛星放送のデータ信号をさらに受信すると共に再生することができる。このため、映像に加えて受信端末１００で受信した最新のデータ及び／又は音声を視聴することができる。
（４）ＨＭＤ表示装置２００は、外界像を透過させることで、光学ユニット１０３で表示された映像を外界像に重ねるコンバイナ１１３を備えている。このため、映像と外界像とを重ねて観ることができる。従って、歩行中等にフリーハンドで映像を観ながら外界を見ることができる。なお、コンバイナとしては、例えばホログラム光学素子やハーフミラー等を用いることができる。ホログラム光学素子は、透明であり、特定の波長の入射光を反射させることができる。ホログラム素子をコンバイナ１１３として用いる表示システムでは、暗い部分のない外界の像と明るい映像を提供することが可能であり、また、光学ユニット１０３を小型にしながらも、大きな映像を提供することができる。
（５）受信端末１００は、音声再生処理部２と、例えば音声映像又は音声専用チャンネルＣＨを選択するための操作入力部７と、操作入力部７によりチャンネルＣＨが変更されたか否かを判断可能なマイクロプロセッサ６とを備え、マイクロプロセッサ６により音声専用チャンネルＣＨに変更されたと判断されたときに（ステップ６）、表示部８又はＨＭＤ表示部１０１の表示を停止する（ステップ８）。このため、更に省電力化を図ることができる。
（６）受信端末１００は、映像を記憶可能な補助記憶部５を備え、マイクロプロセッサ６が音声専用チャンネルＣＨに変更されたと判断したときに（ステップ６）、予め補助記憶部５に記憶された映像が有る場合に（ステップ１２）に予約された映像を音声と共に表示部８又はＨＭＤ表示部１０１に表示する（ステップ１３）。従って、音声を聞くときに予め予約した観たい映像を観ることができる。なお、ステップ１３で予め補助記憶部５に記憶したデータを表示してもよい。
（７）マイクロプロセッサ６が音声専用チャンネルＣＨに変更されたと判断したときに（ステップ６）、受信端末１００で受信されたデータ信号に基くデータを表示部８又はＨＭＤ表示部１０１で表示する。従って、音声を聞きながら受信端末１００で受信したデータ放送の様々なデータを見ることができる。
（８）補助記憶部５に記憶されたデータ等は、受信部１で受信した映像信号及び／又はデータ信号により更新される（ステップ２１）。従って、常に最新のデータ放送のデータを見ることができる。
（９）例えばチャンネルＣＨが音声専用チャンネルＣＨに変更されたときに（ステップ６）、表示部８又はＨＭＤ表示部１０１は、予め設定されたチャンネルのデータを表示可能である。この設定は、例えば操作入力部７を用いて行われる。従って、音声専用チャンネルＣＨの音声を聴きながら、予め設定しておいた希望するチャンネル（ジャンル）のデータを見ることができる。
（１０）受信端末１００のマイクロプロセッサ６は、緊急放送フラグが１か否かにより緊急放送か否かを判断し（ステップ２２）、緊急放送時には緊急放送を表示部８及び／又はＨＭＤ表示部１０１にデータを表示する（ステップ２４）。従って、視聴者は積極的に意識することなく緊急放送を視聴することができる。
（１１）受信端末１００とＨＭＤ表示装置２００とを接続し、ＨＭＤ表示装置２００を頭部に装着して映像を観るときに、装着した人は自分の姿勢を変えることなく受信端末１００のアンテナを最も良い方向に向けて良好な映像を観ることができる。
（１２）受信端末１００とＨＭＤ表示装置２００とを接続し、ＨＭＤ表示装置２００を装着することで、装着した人は臨場感のある映像を観ることができるとともに、装着していない人は受信端末１００の表示部８に表示されている映像を同時に観ることができる。
【００７０】
次に本発明に係る第２の実施の形態の表示システムについて異なる箇所を中心に図面を用いて説明する。
【００７１】
図９は本発明の第２の実施の形態に係る表示システムを示す概略構成図、図１０は第２の実施の形態に係る表示システムのブロック図である。
【００７２】
本実施形態では、受信端末１００の代わりに映像信号出力装置としてのテレビ付携帯電話３００が用いられている。テレビ付携帯電話３００は、音声及び映像を出力するための出力端子２０１及び映像を表示可能な表示部２０２とを備えている。
【００７３】
ＨＭＤ表示装置４００は、接続ケーブル３０１とＨＭＤ表示部３０２とを備えている。接続ケーブル３０１の中途部には、音声ボリューム等を調節するためのコントロール部３０３が設けられている。コントロール部３０３には、音声ボリュームの調節を行うためのスイッチ３０４及びチャンネルＣＨを選択するためのチャンネルボタン３０５が設けられており、ＨＭＤ表示部３０２に電力を供給可能な電源部３０６が内蔵されている。接続ケーブル３０１の他端部には、テレビ付携帯電話３００の出力端子２０１に接続可能な入力端子３０７が設けられている。ＨＭＤ表示部３０２には、２つの光学ユニット３０８、２つのイヤホン３０９及びＨＭＤ表示部３０２に入射する光量を制御するための液晶シャッター３１０が設けられている。入力端子３０７には、音声入力端子３１６と、映像入力端子３１７とが設けられている。
【００７４】
図１０に示すように、コントロール部３０３は、ＨＭＤ音声ボリューム制御部３１１、ＨＭＤ表示制御部３１２、各部に電力を供給可能な電源部（バッテリ）３１３、液晶シャッター制御部３１４、チャンネル信号発生部３１５を備えている。
【００７５】
テレビ付携帯電話３００の音声出力端子２０３は音声入力端子３１６に接続されＨＭＤ音声ボリューム制御部３１１を介してイヤホン３０９に音声を出力することができるように構成されている。映像出力端子２０４は映像入力端子３１７に接続されＨＭＤ表示制御部３１２を介して光学ユニット３０８に映像を出力することができるように構成されている。コントロール部３０３には、図示を省略した濃度切り替えスイッチが設けられており、この濃度切り替えスイッチの切り替えにより液晶シャッター制御部３１４は、液晶シャッター３１０の液晶が設定された濃度になるように制御するために用いられる。また、チャンネル信号発生部３１５は、チャンネルボタン３０５からの入力信号をテレビ付携帯電話３００側のチャンネル信号受信端子２０５に出力することができるように構成されている。
【００７６】
本実施形態以降の実施形態においても、視聴者がＨＭＤ表示装置４００とテレビ付携帯電話３００とを接続したとき、音声専用チャンネルを選択したとき、映像を予約しておいたとき、及びチャンネルを設定しておいたとき等に上記実施形態と同様にテレビ付携帯電話３００等が動作する。
【００７７】
以上のように、本実施形態では、上記実施形態と同様に、ＨＭＤ表示部３０２が外界を観ることが可能なので、場所や時間に依らずハンズフリーで外界を見つつ映像を快適に観ることができる。また、本実施形態では、テレビ付携帯電話３００に表示部２０２が設けられているので、テレビ付携帯電話３００単独で映像を見ることができる。従って、携帯性を最優先させたい場合には、ＨＭＤ表示装置４００を所持せずテレビ付携帯電話３００だけを所持すればよい。そして、本発明は、ユーザがこのような携帯性の優先度を自由に選択できる点で実用性の高いシステムを構成できる。
【００７８】
本実施形態に係るシステムでは、かかる作用効果に加えて以下の作用効果も奏する。
（１）テレビ付携帯電話３００はＨＭＤ表示装置４００に接続されているか否かを判断し、接続されているときに表示部２０２への電力の供給を停止することができるので、節電することができる。
（２）音声ボリュームの調節を行うためのスイッチ３０４やチャンネルボタン３０５を備えたコントロール部３０３が設けられている。このため、例えばテレビ付携帯電話３００を鞄の中に収容した状態で、スイッチ３０４やチャンネルボタン３０５を用いて、音量を調節したりチャンネルを切り替えたりすることができる。
（３）コントロール部３０３に電源部３０６が設けられている。このため、テレビ付携帯電話３００のように、電力の供給に不向きな装置に接続する場合でも電力を安定してＨＭＤ表示部３０２側に供給することができる。
（４）ＨＭＤ表示装置４００が液晶シャッター３１０を備えており、コントロール部３０３に濃度切り替えスイッチが設けられている。このため、濃度切り替えスイッチを切り替えることで、テレビ付携帯電話３００の向きに依らず映像を観やすくすることができる。特に、太陽光下等では、その明るさに応じて外界光の透過率を調節することができるので、高いコントラストで映像を観ることができる。
（５）テレビ付携帯電話３００とＨＭＤ表示装置４００とを接続し、ＨＭＤ表示装置４００を装着することで、装着した人は臨場感のある映像を観ることができるとともに、装着していない人はテレビ付携帯電話３００の表示部２０２に表示されている映像を同時に観ることができる。
【００７９】
次に本発明に係る第３の実施の形態の表示システムについて異なる箇所を中心に図面を用いて説明する。
【００８０】
図１１は第３の実施の形態に係る表示システムの概観斜視図、図１２は第３実施形態の表示システムのブロック図、図１３は第３の実施の形態に係る表示システムの光学ユニットを示す側面図である。
【００８１】
本実施形態では、ＨＭＤ表示装置２００を用いる代わりに、映像信号出力装置としての耳掛けタイプのＨＭＤ表示装置５００が用いられている。
【００８２】
図１１に示すように、ＨＭＤ表示装置５００は、ＨＭＤ表示部４０１と接続ケーブル４０２とを備えている。ＨＭＤ表示部４０１は、耳に装着するための耳装着部４０３、耳装着部４０３から伸びるアーム４０４、アーム４０４の先端部に設けられた光学ユニット４０５及びイヤホン４０６を備えている。
【００８３】
接続ケーブル４０２は、耳装着部４０３の下端部に設けられたコントロール部４０７と、コントロール部４０７から導出されたケーブル４０８と、ケーブル４０８の他端部に設けられた電源出力端子９に接続される電源入力端子４０９及び音声映像出力端子１０に接続される音声映像入力端子４１０とを備えている。コントロール部４０７には、例えば音声ボリュームを調節するためのボタン４１１が設けられている。音声映像入力端子４１０には、受信端末１００の音声出力端子１１に接続される音声出力端子４２０と、映像出力端子１２に接続される映像出力端子４２１とが設けられている。
【００８４】
図１２に示すように、本実施形態では、コントロール部４０７は、ＨＭＤボリューム制御部４１２及びＨＭＤ表示制御部４１３を備えている。ＨＭＤボリューム制御部４１２は、ボタン４１１が操作されたときに、音声映像入力端子４１０から入力された音声信号に基き音声ボリュームを制御するために用いられている。また、ＨＭＤ表示制御部４１３は、受信端末１００からの映像信号を処理し光学ユニット４０５に出力するために用いられている。
【００８５】
図１３は、光学ユニット４０５の平面図である。図１３に示すように、バックライト４１５からの照明光は、ＬＣＤ４１６で空間変調され映像光となり、反射ミラー４１７で折り曲げられ、レンズ４１８によって拡大され目と箱体４１９の位置関係が適切であるときに目に導かれる。レンズ４１８の上下には薄いカバーがあるのみなので、映像表示以外には観察者の視野をほとんど阻害しない。すなわち、ＨＭＤ表示装置５００の装着時に、光学ユニット４０５から視線をそらすと外界が見えるように光学ユニット４０５が設けられている。
【００８６】
以上のように、本実施形態では、ＨＭＤ表示部４０１が片目用のため外界を観ることが可能なので、ハンズフリーで外界を見つつ映像を快適に観ることができる。また、上記実施形態と同様に受信端末１００単独で映像を見ることができるので、携帯性を最優先させたい場合には、ＨＭＤ表示装置５００を所持せず受信端末１００だけを所持すればよい。また、上記第１の実施形態と同様に、ＨＭＤ表示装置５００自体が電源を持たずにすむので、ＨＭＤ表示装置５００の重量を軽減することができる。よって、本システムでは、受信端末１００とＨＭＤ表示装置５００の両方を所持した場合であっても、携帯性に優れたものといえる。そして、本発明は、ユーザがこのような携帯性の優先度を自由に選択できる点で実用性の高いシステムを構成できる。
【００８７】
本実施形態に係るシステムでは、かかる作用効果に加えて以下の作用効果も奏する。
（１）ＨＭＤ表示装置５００は、耳かけタイプであり視野内に光学ユニット４０５を備えた構造を有している。これにより、ＨＭＤ表示装置５００をコンパクトにすることができる。
（２）受信端末１００とＨＭＤ表示装置４００とを接続し、ＨＭＤ表示装置４００を装着することで、装着した人は臨場感のある映像を観ることができるとともに、装着していない人は受信端末１００の表示部８に表示されている映像を同時に観ることができる。
【００８８】
次に第４の実施の形態について図面を参照しながら異なる箇所を中心に説明する。
【００８９】
本実施形態では、ＨＭＤ表示装置８０と、受信端末１００の代わりに用いられる携帯型テレビ９０とを備えている。ＨＭＤ表示装置８０は、接続ケーブル７１とＨＭＤ表示部７２とを備えている。接続ケーブル７１は、上記実施形態と同様に構成されたコントロール部７５、音声、映像、電力供給用の入力端子を有するコネクタ７６を備えている。ＨＭＤ表示部７２は、上記第１の実施形態と同様に構成されたイヤホン７３、光学ユニット７４等により構成されている。携帯型テレビ９０は映像を表示可能な表示部８１、コネクタ７６を接続可能な音声映像出力端子８２、図示を省略したスピーカ等を備えている。
【００９０】
以上のように、本実施形態では、上記実施形態と同様に、ハンズフリーで外界を見つつ映像を快適に観ることができるとともに、携帯型テレビ９０単独で映像を見ることができる。このため、携帯性を最優先させたい場合には、ＨＭＤ表示装置８０を所持せず携帯型テレビ９０だけを所持すればよい。また、上記第１の実施形態と同様に、ＨＭＤ表示装置８０自体が電源を持たずにすむので、ＨＭＤ表示装置８０の重量を軽減することができる。よって、本システムでは、携帯型テレビ９０とＨＭＤ表示装置８０の両方を所持した場合であっても、携帯性に優れたものといえる。そして、本発明は、ユーザがこのような携帯性の優先度を自由に選択できる点で実用性の高いシステムを構成できる。
【００９１】
上記第２の実施形態では、液晶シャッター３１０を備えているＨＭＤ表示装置４００を例示した。しかし、これに限定されず、例えば、図１及び図１４に示す外付けのＮＤフィルタ（neutral density filter）１０８等を用いるようにしてもよい。これにより、受信端末１００や携帯型テレビ９０により映像を観るときに、太陽光等を調節して映像を見易くすることができる。
【００９２】
なお、上記実施形態では、映像信号出力装置として受信端末１００、テレビ付携帯電話３００及び耳掛けタイプのＨＭＤ表示装置５００を例示した。しかし、映像信号出力装置はこれらに限定されず例えばビデオデッキやＤＶＤ（Digital Versatile Disk）プレーヤ等を例示することができる。
【図面の簡単な説明】
【００９３】
【図１】本発明の第１の実施の形態に係る表示システムを示す概略構成図である。
【図２】第１の実施の形態に係る表示システムのブロック図である。
【図３】第１の実施の形態に係る表示システムの光学ユニットを示す側面図である。
【図４】第１の実施の形態の受信端末がＨＭＤ表示装置に接続されたときの動作を示すフローチャートである。
【図５】第１の実施の形態の受信端末のチャンネル変更時の動作を示すフローチャートである。
【図６】第１の実施の形態の予約画像表示プログラムを示すフローチャートである。
【図７】第１の実施の形態の設定チャンネル表示プログラムを示すフローチャートである。
【図８】第１の実施の形態の緊急放送表示プログラムを示すフローチャートである。
【図９】本発明の第２の実施の形態に係る表示システムを示す概略構成図である。
【図１０】第２の実施の形態に係る表示システムのブロック図である。
【図１１】本発明の第３の実施の形態に係る表示システムを示す概略構成図である。
【図１２】第３の実施の形態に係る表示システムのブロック図である。
【図１３】第３の実施の形態に係る表示システムの光学ユニットを示す平面図である。
【図１４】第４の実施の形態に係る表示システムの概略構成図である。
【符号の説明】
【００９４】
１…受信部
４…電源部
８、８１、２０２…表示部
９…電源出力端子
１１…音声出力端子
１２…映像出力端子
１００…受信端末
１０１、３０２、４０１…ＨＭＤ表示部
１０２、３０１、４０２…接続ケーブル
１０３、３０４、４０５…光学ユニット
１０５…電源入力端子
１１５…音声入力端子
１１６…映像入力端子
２００、４００、５００…ＨＭＤ表示装置
２０１…出力端子
３００…テレビ付携帯電話
３０７…入力端子
【図１】
2006005804.tif 000003
【図２】
2006005804.tif 000004
【図３】
2006005804.tif 000005
【図４】
2006005804.tif 000006
【図５】
2006005804.tif 000007
【図６】
2006005804.tif 000008
【図７】
2006005804.tif 000009
【図８】
2006005804.tif 000010
【図９】
2006005804.tif 000011
【図１０】
2006005804.tif 000012
【図１１】
2006005804.tif 000013
【図１２】
2006005804.tif 000014
【図１３】
2006005804.tif 000015
【図１４】
2006005804.tif 000016